(57)【要約】      （修正有）【課題】脚の挟む力や広げる力を測定する有用な装置を提供する。【解決手段】脚力測定装置１００は、左右にガイドバー５が設けられた中央本体１と、中央本体１に対して左側に略平行に配置された左脚を差し入れる左側ホルダ２と、中央本体１に対して右側に略平行に配置された右脚を差し入れる右側ホルダ３とを有する。左（右）側ホルダ２（３）は、ガイドバー５に沿って移動して所定位置で位置決め固定され且つ左（右）内パッド６（７）を有する左（右）内筐体３０（４０）および左（右）外パッド８（９）を有する左（右）外筐体５０（６０）を備える。更に、左内パッド６、左内パッド６と左内筐体３０の間に設けたロードセル、右内パッド７により構成した第一測定部を有する。また、左外パッド８、左外パッド８と左外筐体５０の間に設けたロードセル、右外パッド９により構成した第二測定部を備える。【選択図】図２
2016054996.tif 000002
【特許請求の範囲】
【請求項１】
左右にガイドバーが設けられた中央本体と、
前記中央本体に対して左側に略平行に配置された左脚を差し入れる左側ホルダと、
前記中央本体に対して右側に略平行に配置された右脚を差し入れる右側ホルダと、
を有し、
前記左側ホルダは、前記ガイドバーに沿って移動して所定位置で位置決め固定され且つ左内パッドを有する左内筐体および左外パッドを有する左外筐体を備え、
前記右側ホルダは、前記ガイドバーに沿って移動して所定位置で位置決め固定され且つ右内パッドを有する右内筐体および右外パッドを有する右外筐体を備え、
更に、前記左内パッド、当該左内パッドおよび左内筐体の間に設けたロードセル、前記右内パッドにより構成した第一測定部と、
前記左外パッド（又は右外パッド）、当該左外パッド（又は右外パッド）および左外筐体（右外筐体）の間に設けたロードセル、前記右外パッド（又は左外パッド）により構成した第二測定部と、
を備えたことを特徴とする脚力測定装置。
【請求項２】
前記ガイドバーが前記中央本体の両端からそれぞれ左右側に設けられ、
前記左内筐体及び左外筐体は前記ガイドバーに対してその両端で可動に設けられ且つ前記左内パッド及び左外パッドは前記左内筐体及び左外筐体の中央に配置され、
前記右内筐体及び右外筐体は前記ガイドバーに対してその両端で可動に設けられ且つ前記右内パッド及び右外パッドは前記右内筐体及び右外筐体の中央に配置され、
ていることを特徴とする請求項１に記載の脚力測定装置。
【請求項３】
前記左内筐体および右内筐体の間隔と、左外筐体および右外筐体の間隔とを独立して調整可能な調整手段を有することを特徴とする請求項１又は２に記載の脚力測定装置。
【発明の詳細な説明】
【技術分野】
【０００１】
本発明は、脚の挟む力と広げる力を測定する脚力測定装置に関するものである。
【背景技術】
【０００２】
従来から特許文献１に記載のような測定装置が知られている。この測定装置は、脚の筋力を測定するものであり、座席部に座って脚を踏み付け板に載せ、この踏み付け板を脚の力で押し付ける。これにより、踏み付け板に設けた圧力センサにより力を測定する。
【先行技術文献】
【特許文献】
【０００３】
【特許文献１】特開２００７−１３０１９０号公報
【発明の概要】
【発明が解決しようとする課題】
【０００４】
従来の脚の力を測定する装置は、上記特許文献１に係る測定装置のような脚を前方に押し出して脚力を測定するものが殆どであり、脚の挟む力や広げる力を測定する有用な装置は存在しなかった。
【課題を解決するための手段】
【０００５】
本発明の脚力測定装置は、左右にガイドバーが設けられた中央本体と、前記中央本体に対して左側に略平行に配置された左脚を差し入れる左側ホルダと、前記中央本体に対して右側に略平行に配置された右脚を差し入れる右側ホルダと、を有し、前記左側ホルダは、前記ガイドバーに沿って移動して所定位置で位置決め固定され且つ左内パッドを有する左内筐体および左外パッドを有する左外筐体を備え、前記右側ホルダは、前記ガイドバーに沿って移動して所定位置で位置決め固定され且つ右内パッドを有する右内筐体および右外パッドを有する右外筐体を備え、更に、前記左内パッド、当該左内パッドおよび左内筐体の間に設けたロードセル、前記右内パッドにより構成した第一測定部と、前記左外パッド（又は右外パッド）、当該左外パッド（又は右外パッド）および左外筐体（右外筐体）の間に設けたロードセル、前記右外パッド（又は左外パッド）により構成した第二測定部とを備えたことを特徴とする。なお、上記左側ホルダと右側ホルダは、装置を見る方向によって決められるものである。
【０００６】
また、本発明の脚力測定装置は、上記構成において、前記ガイドバーが前記中央本体の両端からそれぞれ左右側に設けられ、前記左内筐体及び左外筐体は前記ガイドバーに対してその両端で可動に設けられ且つ前記左内パッド及び左外パッドは前記左内筐体及び左外筐体の中央に配置され、前記右内筐体及び右外筐体は前記ガイドバーに対してその両端で可動に設けられ且つ前記右内パッド及び右外パッドは前記右内筐体及び右外筐体の中央に配置されていることを特徴とする。
【０００７】
また、本発明の脚力測定装置は、上記構成において、前記左内筐体および右内筐体の間隔と、左外筐体および右外筐体の間隔とを独立して調整可能な調整手段を有することを特徴とする。
【図面の簡単な説明】
【０００８】
【図１】この発明の実施の形態１に係る脚力測定装置を示す斜視図
【図２】図１に示した脚力測定装置を示す平面図
【図３】図１に示した脚力測定装置の左側面図
【図４】図１のＡ−Ａ断面図
【図５】図１のＢ−Ｂ断面図
【図６】図１のＣ−Ｃ断面図
【図７】測定部の拡大図
【図８】第二測定部の拡大図
【図９】パッドの取付状態を示す拡大図
【図１０】コントロールボックスの構成図
【図１１】この脚力測定装置の使用方法を示す説明図
【発明を実施するための形態】
【０００９】
図１は、この発明の実施の形態１に係る脚力測定装置を示す斜視図である。図２は、図１に示した脚力測定装置を示す平面図である。図３は、図１に示した脚力測定装置の左側面図、図４はＡ−Ａ断面図である。図５はＢ−Ｂ断面図、図６はＣ−Ｃ断面図である。この脚力測定装置１００は、長細い箱状の中央本体１と、当該中央本体１の左側に配置され脚の膝付近を挿入する領域を形成した左側ホルダ２と、当該中央本体１の右側に配置され脚の膝付近を挿入する領域を形成した右側ホルダ３と、中央本体１に設けられ且つ操作ボタンや電源等が内蔵されたコントロールボックス４とから構成される。
【００１０】
中央本体１は、長手形状の箱状体であり、長手方向の両端にはガイドバー５が前記長手方向に対して直交方向に設けられている。また、中央本体１の長手方向の中央位置には、第一測定ユニット１０が設けられている。この第一測定ユニット１０は、中央本体１に内蔵され且つ回転可能に設けられたダイヤル１１を備え、当該ダイヤル１１の左側には測定部１４が設けられる。ダイヤル１１は、滑り止め等が周表面に形成された摘み部１２と、摘み部１２の回転軸上に設けたスリーブ１３とからなる。スリーブ１３の内側にはネジが切られている。
【００１１】
測定部１４は、図６に示すように、ダイヤル１１に螺合した第一ボルト１５と、第一ボルト１５のヘッド部１６に対向して配置され左側ホルダ２の左内パッド６に連結される第二ボルト２１と、第一ボルト１５のヘッド部１６と第二ボルト２１のヘッド部２２に当接したプレート２４との間に配置されたロードセル２３とからなる。これら第一ボルト１５及び第二ボルト１６のヘッド１６，２２やロードセル２３は左内筐体３０に格納される。ロードセル２３の信号線は、左内筐体３０から導出してコントロールボックス４に導入される（図示省略）。
【００１２】
左内パッド６は、図９に示すように、左内筐体３０に対して挿通されるガイド軸３１を有する。このガイド軸３１は、左内筐体３０の穴３２に挿通されると共にスライド用のスリーブ３３を貫通し、その先端でボルト３４により固定される。ガイド軸３１の先端と左内筐体３０の内壁との間には若干の空間が形成される。かかる構造により左内パッド６は左内筐体３０に対して若干押し込むようにスライド可能となる。また、左内パッド６は、図５に示すように、２か所で支持され、中央で測定される。このため、左内パッド６はスムーズに微小スライド可能な状態ないし開放状態となり、左内パッド６に加わる力を測定部１４に伝えることができる。以下、左外パッド８、右内パッド７及び右外パッド９についても同様の構成で筐体に設けられる。
【００１３】
また、ダイヤル１１の右側には、右側ホルダ３の右内筐体４０から突出したボルト部４１が螺合される。ダイヤル１１は、回転可能に支持され且つダイヤル１１の周囲が中央本体１の開口から外側に露出して指の操作により回転可能となる。ダイヤル１１と前記測定部１４の第一ボルト１５および右内筐体４０のボルト部４１とは右ネジ及び左ネジの異なる螺合関係となり、ダイヤル１１の回転により左内パッド６及び右内パッド７との間隔が調整可能となっている。このダイヤル１１を回転させることでスリーブ１３とボルト部との螺合関係から左内筐体３０と右内筐体４０との間隔を調整できる。この調整は、左外パッド８と右外パッド９との間隔（左外筐体５０と右外筐体６０との間隔）とは独立して調整可能となる。このため、様々な太さや大きさの脚に対応可能となる。
【００１４】
左側ホルダ２は、中央本体１側に沿って平行に設けられ且つホルダ中央に向いて左内パッド６が設けられた前記左内筐体３０と、前記ガイドバー５に両端が可動に取り付けられ且つホルダ中央に向いて左外パッド８が設けられた左外筐体５０とからなる。左外筐体５０はガイドバー５が貫通しており、当該左外筐体５０は当該ガイドバー５に沿って移動可能な構造となる。ガイドバー５には、所定間隔で穴５１が設けてあり、左外筐体５０に設けたピン（図示省略）により当該ガイドバー５に対する位置決めを行う。これにより、左外パッド８と右外パッド９との間隔（左外筐体５０と右外筐体６０との間隔）を調整可能となる。なお、係る位置決め構造は、穴５１とピンによるものの他、公知の技術を採用できる。また、当該調整は、左内筐体３０と右内筐体４０との間隔とは独立して調整可能となる。このため、様々な太さや大きさの脚に対応可能となる。
【００１５】
左側ホルダ２には、第二測定部１８が設けられる。図８に示すように、左外パッド８は、第三ボルト５２のネジ部に取り付けられており、第三ボルト５２のヘッド部５３は左外筐体５０の内部に保持されている。また、左外筐体５０の前記第三ボルト５２の軸線上には第四ボルト５４が設けられる。また、第四ボルト５４の端部と前記第三ボルト５２のヘッド部５３に設けたプレート５６との間には、ロードセル５５が配置されている。ロードセル５５の信号線は、左外筐体５０から導出してコントロールボックス４に導入される。左外パッド８に加わった力は、第三ボルト５３を介してロードセル５５に伝わる。
【００１６】
右側ホルダ３は、中央本体１側に沿って平行に設けられ且つホルダ中央に向いて右内パッド７が設けられた前記右内筐体４０と、前記ガイドバー５に両端が可動に取り付けられ且つホルダ中央に向いて右外パッド９が設けられた右外筐体６０とからなる。右外筐体６０にはガイドバー５が貫通しており、当該右外筐体６０は当該ガイドバー５に沿って移動可能な構造となる。ガイドバー５には、所定間隔で穴６１が設けてあり、右外筐体６０に設けたピン（図示省略）により当該ガイドバー５に対する位置決めを行う。なお、係る位置決め構造は、穴６１とピンによるものの他、公知の技術を採用できる。
【００１７】
右外パッド９は、右外筐体６０に対してボルト６２で固定されている。
【００１８】
左内パッド６、左外パッド８、右内パッド７及び右外パッド９は、楕円形状であり且つ脚ないし膝が接触する接触部分には若干の皿状に湾曲した形状が施される。当該接触部分は、樹脂製とするのが好ましい。また、当該接触部分にはクッション性を持たせないのが好ましい。これは脚力測定の際に力が緩衝されて測定誤差を生じさせるのを防止するためである。左内パッド６、左外パッド８、右内パッド７及び右外パッド９の楕円長手方向の両側における左内筐体３０、左外筐体５０、右内筐体４０及び右外筐体６０に対する取り付けは、図７に示した通りである。
【００１９】
前記コントロールボックス４には、ロードセル２３，５５からの出力線が導入され、回路基板に接続される。また、コントロールボックス４には、一次電池又は二次電池からなる電源が内蔵される。当該電源によりコントロールボックス４内の回路基板に電力を供給する。また、コントロールボックス４は、図１０に示すように、ロードセル２３，５５の出力信号を増幅するアンプ部９１と、アナログ信号をデジタル変換するＡＤ変換器９２とが設けられる。更に、外部の受信装置に測定情報を送信する送信部９３が設けられる。送信部９３は、例えばブルーツース（商標）に準拠した送信回路である。筐体９５には、液晶パネル等の表示部９４が設けられている。表示部９４のドライバ９５は回路基板上に設けられる。
【００２０】
図１１は、この脚力測定装置の使用方法を示す説明図である。両足で内側への力を測定する場合、被測定者Ｕが椅子に座って両脚の大腿骨が骨盤から前方に向かい互いに平行になるようにする。そして、座った状態で折り曲げた左右の膝Ｈを左側ホルダ２と右側ホルダ３とに差し入れる。被測定者Ｕの膝蓋骨辺りを左内パッド６及び右内パッド７に押し当てる。この状態で左右の大腿骨が平行になるように、中央本体１のダイヤル１１を回して左内パッド６及び右内パッド７の間隔を調整する。
【００２１】
そして、コントロールボックス４のスイッチを入れて測定開始する。被測定者が両足で左内パッド６及び右内パッド７を挟むと、その力が左内筐体３０のロードセル２３に加わり、その力に対応した出力信号がアンプ部９１で増幅され、ＡＤ変換器９２でデジタル信号に変換される。このデータは、送信部９３により所定の受信装置（例えば、ノート型ＰＣ、タブレット端末等の無線通信機能を備えたコンピュータ端末等）により受信される。また、デジタル変換された信号に基づいて力の値が計算されて表示部９４に表示される。
【００２２】
次に、両足で外側へ開く力を測定する場合、椅子に座って両脚の大腿骨が骨盤から前方に向かい互いに平行になるようにする。そして、座った状態で折り曲げた左右の膝Ｈを左側ホルダ２と右側ホルダ３とに差し入れる。被測定者の膝蓋骨辺りを左外パッド８及び右外パッド９に押し当てる。この状態で左右の大腿骨が平行になるように、左外筐体５０と右外筐体６０をガイドバー５に沿って移動させて位置決め固定する。
【００２３】
そして、コントロールボックス４のスイッチを入れて測定開始する。被測定者が両足で左外パッド８及び右外パッド９を押し広げるようにすると、その力が左外筐体５０のロードセル５５に加わり、その力に対応した出力信号がアンプ部９１で増幅され、ＡＤ変換器９２でデジタル信号に変換される。このデータは、送信部９３により所定の受信装置（例えば、ノート型ＰＣ、タブレット端末等の無線通信機能を備えたコンピュータ端末等）により受信される。また、デジタル変換された信号に基づいて力の値が計算されて表示部９４に表示される。
【００２４】
この脚力測定装置１００は、被測定者の膝Ｈを左側ホルダ２及び右側ホルダ３の間に挿入して使用するところ、左側ホルダ２は、左内筐体３０及び左外筐体５０がそれぞれ両端近傍でガイドバー５により連結されており、右側ホルダ３も同様に、右内筐体４０及び右外筐体６０がそれぞれ両端近傍でガイドバー５により連結されており、全体で矩形の空間を形成している。被測定者Ｕはこの空間に膝Ｈを入れる。ガイドバー５は脚に当たって支持されるので、測定時に脚力測定装置１００を保持しやすい。
【００２５】
係る構成によれば、被測定者Ｕの体の大きさや足の長さや太さ等による違いがあっても、パッド６，７，８，９を適切な測定位置に位置させることができる。また、各パッド６，７，８，９は筐体の中央に配置され且つ筐体の両端でガイドバー５により連結されていることから、力がバランスよくかかるので安定した測定が可能となる。更に、挟む力と広げる力を測定するロードセル２３，５５を片方の左側ホルダ２（又は右側ホルダ３）に設けることで力の測定ができる。
【００２６】
なお、上記では左側ホルダ２に測定部（第一測定部）１４及び第二測定部１８を設けたが、測定部１４を右側ホルダ３に設けても良いし、第二測定部１８を右側に設けても良いし、測定部１４及び第二測定部１８を右側ホルダ３に設けても良い（図示省略）。
【符号の説明】
【００２７】
１００  脚力測定装置
１  中央本体
２  左側ホルダ
３  右側ホルダ
４  コントロールボックス
５  ガイドバー
６  左内パッド
７  右内パッド
８  左外パッド
９  右外パッド
１１  ダイヤル
１４  測定部
１８  第二測定部
２３  ロードセル
３０  左内筐体
４０  右内筐体
５０  左外筐体
６０  右外筐体
５５  ロードセル
【図１】
2016054996.tif 000003
【図２】
2016054996.tif 000004
【図３】
2016054996.tif 000005
【図４】
2016054996.tif 000006
【図５】
2016054996.tif 000007
【図６】
2016054996.tif 000008
【図７】
2016054996.tif 000009
【図８】
2016054996.tif 000010
【図９】
2016054996.tif 000011
【図１０】
2016054996.tif 000012
【図１１】
2016054996.tif 000013